(57)【要約】      （修正有）【課題】タレットの使用の角度を調整できるタレット脱着可能な回転機構を提供する。【解決手段】係止ブロック１１と、嵌合空間１２と、嵌合空間と連通するねじ穴１３と、を有する連接台１と、その一側には、連接台を収容できる収容空間２１を設ける。収容空間の周縁には、係止ブロックに対応する定位穴２２が複数設けられ、その他側に規制空間２３が設けられる。また、規制空間は、収容空間及び嵌合空間と連通する支持台２と、支持台と連接台とを挿通し、その一端に凸縁３１が設けられ、凸縁には、嵌合空間に対応する延び段３３が設けられ、凸縁の外径は延び段の直径よりも大きく、延び段に弾性具４が嵌め設けられる連接具３と、を含む。さらに、連接具は、規制空間を挿通して嵌合空間に組み付けられ、締結具は、連接台のねじ穴にねじ込まれて連接具に押付ける。【選択図】図２
0003176694.tif 000002
【実用新案登録請求の範囲】
【請求項１】
係止ブロックと、嵌合空間と、前記嵌合空間と連通するねじ穴と、を有する連接台と、
その一側には、前記連接台を収容できる収容空間が設けられ、前記収容空間の周縁には、前記係止ブロックに対応する定位穴が複数設けられ、その他側に規制空間が設けられ、前記規制空間は、前記収容空間及び前記嵌合空間と連通する支持台と、
前記支持台と前記連接台とを挿通し、その一端に凸縁が設けられ、前記凸縁には、前記嵌合空間に対応する延び段が設けられ、前記凸縁の外径は前記延び段の直径よりも大きく、前記延び段に弾性具が嵌め設けられる連接具と、
を含み、
前記連接具は、前記規制空間を挿通して、前記嵌合空間に組み付けられ、締結具は、前記連接台の前記ねじ穴にねじ込まれて前記連接具に押付け、これにより、前記連接台は前記支持台に弾性的に押付けるようになり、前記係止ブロックは、前記定位穴に係り込み可能であり、又は前記定位穴から離脱することができることを特徴とするタレット脱着可能な回転機構。
【請求項２】
前記連接台には、タレットを置き可能な載せ台が固定されていることを特徴とする、請求項１に記載のタレット脱着可能な回転機構。
【請求項３】
前記規制空間には、小径段と、中径段と、大径段と、が順次に設けられ、前記中径段は、その内径が前記小径段の内径よりも大きく、止め縁を有し、前記大径段は、その内径が前記中径段の内径よりも大きく、階段状縁を有し、前記連接具の前記凸縁と前記延び段との間には、更に、押付段が設けられ、前記押付段に押付面が設けられ、前記弾性具は、一端が前記止め縁に押付け、他端が前記押付面に押付けることを特徴とする、請求項１に記載のタレット脱着可能な回転機構。
【請求項４】
複数の前記定位穴は、それぞれ第１の定位穴、第２の定位穴及び第３の定位穴であり、前記第１の定位穴、前記第２の定位穴と前記第３の定位穴の間隔角度は全て９０度であることを特徴とする、請求項１に記載のタレット脱着可能な回転機構。
【請求項５】
前記弾性具はバネであることを特徴とする、請求項１に記載のタレット脱着可能な回転機構。
【請求項６】
前記締結具はボルトであることを特徴とする、請求項１に記載のタレット脱着可能な回転機構。
【考案の詳細な説明】
【技術分野】
【０００１】
本考案は、タレット脱着可能な回転機構に関し、特に、タレットの使用の角度を調整できるタレット脱着可能な回転機構に関するものである。
【背景技術】
【０００２】
刃具が脱着可能な工作台は、二つの受け台を有することが一般的である。一つの受け台は、刃具を水平に置き可能なものであり、もう一つの受け台は、刃具を垂直に置き可能なものである。しかし、切削用刃具の仕様が色々あるため、ロックの角度が異なり、ある受け台に切削用刃具を良く脱着できず、又はロックできない場合には、別の受け台に切削用刃具を移動することが必要であり、これにより、使用が極めて不便である。そして切削用刃具を移動しているときには、切削用刃具が工作台に衝突しやすく、これにより、切削用刃具が磨耗されて機械との密着性が降下する。また、異なる寸法を有する載せ台を交換するプロセスが複雑であるため、利用が極めて不便である。
【考案の概要】
【考案が解決しようとする課題】
【０００３】
本考案の主な目的は、タレットの使用の角度を調整できるタレット脱着可能な回転機構を提供することにある。
【課題を解決するための手段】
【０００４】
本考案のタレット脱着可能な回転機構によると、係止ブロックと、嵌合空間と、嵌合空間と連通するねじ穴と、を有する連接台と、
その一側には、連接台を収容できる収容空間が設けられ、収容空間の周縁には、係止ブロックに対応する定位穴が複数設けられ、その他側に規制空間が設けられ、規制空間は、収容空間及び嵌合空間と連通する支持台と、
支持台と連接台とを挿通し、その一端に凸縁が設けられ、凸縁には、嵌合空間に対応する延び段が設けられ、凸縁の外径は延び段の直径よりも大きく、延び段に弾性具が嵌め設けられる連接具と、
を含み、
連接具は、規制空間を挿通して嵌合空間に組み付けられ、締結具は、連接台のねじ穴にねじ込まれて連接具に押付け、これにより、連接台は支持台に弾性的に押付けるようになり、係止ブロックは、定位穴に係り込み可能であり、又は定位穴から離脱することができることを特徴とする。
【０００５】
本考案のタレット脱着可能な回転機構によると、連接台には、タレットを置き可能な載せ台が固定されていることを特徴とする。
【０００６】
本考案のタレット脱着可能な回転機構によると、規制空間には、小径段と、中径段と、大径段と、が順次に設けられ、中径段は、その内径が小径段の内径よりも大きく、止め縁を有し、大径段は、その内径が中径段の内径よりも大きく、階段状縁を有し、連接具の凸縁と延び段との間には、更に、押付段が設けられ、押付段に押付面が設けられ、弾性具は、一端が止め縁に押付け、他端が押付面に押付けることを特徴とする。
【０００７】
本考案のタレット脱着可能な回転機構によると、複数の定位穴は、それぞれ第１の定位穴、第２の定位穴及び第３の定位穴であり、第１の定位穴、第２の定位穴と第３の定位穴の間隔角度は全て９０度であることを特徴とする。
【０００８】
本考案のタレット脱着可能な回転機構によると、弾性具はバネであることを特徴とする。
【０００９】
本考案のタレット脱着可能な回転機構によると、締結具はボルトであることを特徴とする。
【考案の効果】
【００１０】
本考案のタレット脱着可能な回転機構によれば、タレットの使用の角度を調整できるという効果がある。
【図面の簡単な説明】
【００１１】
【図１】本考案の一実施例の組合済み状態を示す斜視図である。
【図２】本考案の一実施例を示す分解斜視図である。
【図３】本考案の一実施例を示す断面図である。
【図４】本考案の一実施例の操作を示す斜視図である。
【考案を実施するための形態】
【００１２】
以下、本考案の実施の形態を図面に基づいて説明する。
【実施例】
【００１３】
まず、図１乃至図４を参照する。本考案の一実施例のタレット脱着可能な回転機構は、連接台１と、支持台２と、連接具３と、を含む。
【００１４】
連接台１には、タレットを置き可能な載せ台６が固定されている。連接台１は、係止ブロック１１と、嵌合空間１２と、嵌合空間１２と連通するねじ穴１３と、を有する。
【００１５】
支持台２の一側には、連接台１を収容できる収容空間２１が設けられ、収容空間２１の周縁には、係止ブロック１１に対応する定位穴２２が複数設けられる。複数の定位穴２２は、それぞれ第１の定位穴２２１、第２の定位穴２２２及び第３の定位穴２２３である。第１の定位穴２２１、第２の定位穴２２２と第３の定位穴２２３の間隔角度は全て９０度である。支持台２の他側に規制空間２３が設けられる。規制空間２３は、収容空間２１及び嵌合空間１２と連通する。規制空間２３には、小径段２３１と、中径段２３２と、大径段２３３と、が順次に設けられる。中径段２３２は、その内径が小径段２３１の内径よりも大きく、止め縁２３４を有する。大径段２３３は、その内径が中径段２３２の内径よりも大きく、階段状縁２３５を有する。
【００１６】
連接具３は、支持台２と連接台１とを挿通し、その一端に凸縁３１が設けられる。凸縁３１には、嵌合空間１２に対応する延び段３３が設けられる。凸縁３１の外径は延び段３３の直径よりも大きい。延び段３３に弾性具４が嵌め設けられる。弾性具４はバネでもよい。連接具３の凸縁３１と延び段３３との間には、更に、押付段３２が設けられる。押付段３２に押付面３２１が設けられる。弾性具４は、一端が止め縁２３４に押付け、他端が押付面３２１に押付ける。連接具３は、規制空間２３を挿通して嵌合空間１２に組み付けられる。締結具５は、連接台１のねじ穴１３にねじ込まれて連接具３に押付ける。締結具５はボルトでもよい。これにより、連接台１は支持台２に弾性的に押付けるようになり、係止ブロック１１は、定位穴２２に係り込み可能であり、又は定位穴２２から離脱することができる。このように、連接台１の使用の角度を調整できる。
【００１７】
連接台１が水平形態にあるときには、係止ブロック１１が第２の定位穴２２２に係り込まれる。連接台１の使用の角度を変更したいときには、連接台１を引くことにより、係止ブロック１１を第２の定位穴２２２から離脱して、係止ブロック１１を第１の定位穴２２１に合せるように連接台１を旋回して、弾性具４の弾力により連接具３が押付けられて、連接台１が付勢されて支持台２に近接し、これにより、係止ブロック１１が第１の定位穴２２１に係り込まれる。このとき、連接台１は垂直形態にある。第３の定位穴２２３に係止ブロック１１を係り込むと、これは連接台１の別の垂直形態である。このように、タレットを便利に脱着することができる。
【産業上の利用可能性】
【００１８】
本考案は、タレット用回転機構に適用することができる。
【符号の説明】
【００１９】
１：連接台
２：支持台
３：連接具
４：弾性具
５：締結具
６：載せ台
１１：係止ブロック
１２：嵌合空間
１３：ねじ穴
２１：収容空間
２２：定位穴
２３：規制空間
３１：凸縁
３２：押付段
３３：延び段
２２１：第１の定位穴
２２２：第２の定位穴
２２３：第３の定位穴
２３１：小径段
２３２：中径段
２３３：大径段
２３４：止め縁
２３５：階段状縁
３２１：押付面
【図１】
0003176694.tif 000003
【図２】
0003176694.tif 000004
【図３】
0003176694.tif 000005
【図４】
0003176694.tif 000006